(57)【特許請求の範囲】
【請求項１】
通路の途中側部に配置した眼鏡店の出入口が前記通路に面していると共に、テーブル板の高さを調節可能に設けた検眼テーブルが前記出入口に配設され、少なくともレンズメータ，眼屈折力測定装置が前記検眼テーブル上に配設された眼鏡販売支援用検眼システムであって、
前記通路を通行する人が立ち止まって立った状態で前記眼屈折力測定装置を利用可能にするために、前記通路から前記検眼テーブルに対して向かって立ち止まった人の顔の高さに前記眼屈折力測定装置の高さが対応する位置まで前記テーブル板を昇降駆動するテーブル板昇降手段が設けられていることを特徴とする眼鏡販売支援用検眼システム。
【請求項２】
請求項１に記載の眼鏡販売支援用検眼システムにおいて、
視力表の呈示高さを視力表呈示高さ調整手段で調整可能に設けた視力表呈示装置が前記検眼テーブルの通路側から利用可能に前記検眼テーブルの近傍に配置されていると共に、前記視力表呈示装置からの視力表の呈示高さが前記通路から前記検眼テーブルに対して向かって立ち止まった人の顔の高さに対応する位置まで視力表呈示高さ調整手段で調整されたとき、前記眼屈折力測定装置が前記通路から前記検眼テーブルに対して向かって立ち止まった人の顔の高さに対応する位置までテーブル板昇降手段により昇降駆動制御する制御回路が設けられていることを特徴とする眼鏡販売支援用検眼システム。
【発明の詳細な説明】
【０００１】
【発明の属する技術分野】
この発明は、簡易な検眼が可能な眼鏡販売支援用検眼システムに関するものである。
【０００２】
【従来の技術】
一般に、眼鏡（メガネ）を作る場合において顧客は、眼鏡店等に出向いて眼鏡フレームを選択すると共に眼の検査を行って、この検査に基づいてレンズを処方する際にレンズの種類を選択するようにしている。
【０００３】
また、眼鏡を装用していない人の裸眼の視力が低下した場合、とりあえず視力を知りたい場合がある。さらに、現在眼鏡を装用している人でも、眼鏡を作ってから数年になり、見え方が少し悪くなったように感じたりした場合、とりあえず視力を知りたい場合もある。この様な場合、通常は上述したように眼鏡店に出向く必要がある。
【０００４】
【発明が解決しようとする課題】
ところで、この様に単に視力値を知りたい人でも、視力値や矯正視力値がかなり低下している事実を知れば、新たに眼鏡を作る必要性があると考えて、顧客となる可能性もある。
【０００５】
しかしながら、上述したように現在の裸眼による視力や矯正視力値を知りたい場合、眼鏡店においてこのような視力のみの検査をしてもらう様なことは困難であった。即ち、眼鏡店に出向いて視力検査を行う場合、この視力検査は眼鏡を作ることが前提となっていると考えられるため、普通は単に視力値を知りたいために眼鏡店に入りにくいものであった。
【０００６】
この結果、視力値や矯正視力値がかなり低下している人の中には、眼鏡を作らずにそのままにしていて、更に視力値や矯正視力が悪化する人がいたりすることも考えられる。一方、眼鏡店にしてみれば、顧客になり得る人が顧客にならずに、売上の上昇にはつながらないものであった。
【０００７】
そこで、この発明は、視力値や矯正視力値が低下している人の為にもなり、眼鏡店の売上増加にもなるような眼鏡販売支援用検眼システムを提供することを目的とするものである。
【０００８】
【課題を解決するための手段】
この目的を達成するため、請求項１の発明は、通路の途中側部に配置した眼鏡店の出入口が前記通路に面していると共に、テーブル板の高さを調節可能に設けた検眼テーブルが前記出入口に配設され、少なくともレンズメータ，眼屈折力測定装置が前記検眼テーブル上に配設された眼鏡販売支援用検眼システムであって、前記通路を通行する人が立ち止まって立った状態で前記眼屈折力測定装置を利用可能にするために、前記通路から前記検眼テーブルに対して向かって立ち止まった人の顔の高さに前記眼屈折力測定装置の高さが対応する位置まで前記テーブル板を昇降駆動するテーブル板昇降手段が設けられている眼鏡販売支援用検眼システムとしたことを特徴とする。
【０００９】
また、請求項２の発明の眼鏡販売支援用検眼システムは、請求項１に記載の眼鏡販売支援用検眼システムにおいて、視力表の呈示高さを視力表呈示高さ調整手段で調整可能に設けた視力表呈示装置が前記検眼テーブルの通路側から利用可能に前記検眼テーブルの近傍に配置されていると共に、前記視力表呈示装置からの視力表の呈示高さが前記通路から前記検眼テーブルに対して向かって立ち止まった人の顔の高さに対応する位置まで視力表呈示高さ調整手段で調整されたとき、前記眼屈折力測定装置が前記通路から前記検眼テーブルに対して向かって立ち止まった人の顔の高さに対応する位置までテーブル板昇降手段により昇降駆動制御する制御回路が設けられていることを特徴とする。
【００１０】
【発明の実施の形態】
以下、この発明の実施の形態を図面に基づいて説明する。
[構成]
図１は例えばデパート等の売り場のフロアの一部を示したもので、人通りのある通路１の両側には種々の店舗２ａ，２ｂ，・・・２ｉ・・・２ｎが配置されている。本実施例では、この店舗２ａ，２ｂ，・・・２ｉ・・・２ｎのうち、例えば通路の途中側部に配置された店舗２ｉが眼鏡店であるとする。この店舗２ｉは出入口３が通路１に面している。
【００１１】
店舗２ｉ内には、複数のフレーム展示用の陳列ケース４が配置され、奥側に視力検査室５や勘定場としてのカウンタ６が設けられている。また、出入口３の左右の側部には眼鏡フレーム等の陳列棚７，８が配置され、通路１を通行している人が立ち止まって陳列棚７，８の眼鏡フレームを装用してみることができるようになっている。
＜検眼テーブル＞
また、出入口３の略中央には検眼テーブル９が配設されている。この検眼テーブル９は、図２〜図４（ａ）、図５，図６に示したテーブル板１０と、テーブル板１０を昇降自在に指示する図３，図４（ａ），図６の支持脚１１を有する。この支持脚１１は、フロア上に指示された脚部１１ａと、脚部１１ａ内に上下動自在に嵌合された支柱１１ｂを有する。また、支柱１１ｂはテーブル板昇降手段（視力表呈示高さ調整手段）により上下動可能に設けられている。このテーブル板昇降手段は、図７のテーブル板昇降モータ（パルスモータ）１２と、このテーブル板昇降モータ１２に連動する送りネジ又はラック・ピニオン等を利用した歯車伝達機構（図示せず）を有する。尚、送りネジ又はラック・ピニオン等を利用した歯車伝達機構には周知の構造が採用できるので、図示の便宜上、図２〜図６では送りネジ又はラック・ピニオン等を利用した歯車伝達機構の図示を省略している。
【００１２】
テーブル板１０は、店舗２ｉ側の側面１０ａが円弧状に形成され、通路１側に凹部１３が形成されている。この通路１を歩いている人１４が図４（ａ）の如く凹部１３内に入ることで、通路１を通行している人の通行の邪魔にならないようになっている。更に、側面１０ａには、図６に示したように左右方向の中央に位置して操作パネル１５が取り付けられている。この操作パネル１５は、テーブル板１０を上昇操作するためのテーブル板昇降モータ１２の正転スイッチＳ１、テーブル板１０を降下操作するためのテーブル板昇降モータ１２の逆転スイッチＳ２、メモリ選択スイッチＳ３，Ｓ４等が設けられている。
【００１３】
また、テーブル板１０の上面には図５に示したように複数の電源用のコンセント１６，１７，１８が設けられ、テーブル１０の下面には安全スイッチ１９が設けられ、テーブル板１０内には図７の演算制御回路２０が内蔵されている。この演算制御回路２０には、操作パネル１５や安全スイッチ１９、テーブル板昇降モータ１２及びメモリ２１が接続されている。
＜レンズメータ及び眼屈折力測定装置＞
更に、検眼テーブル９のテーブル板１０上の左右の部分には、図２，図３に示したようにレンズメータ２２及び眼屈折力測定装置（レフラクトメータ）２３がそれぞれ配設されている。このレンズメータ２２及び眼屈折力測定装置２３の図示しない電源コードの電源プラグはテーブル板１０のコンセント１６，１８に接続される。尚、コンセント１６，１７，１８は、図示しない電源コードを介して商用電源に接続される。
【００１４】
そして、上述のメモリ２１には、標準的な身長の大人と子供が立った状態の顔の高さに眼屈折力測定装置２３が位置するように、テーブル板昇降モータ１２を駆動制御してテーブル板１０を昇降させるための２つのデータが記憶されている。しかも、このメモリ２１の２つのデータは、大人用のデータ利用のためのスイッチＳ３と子供用のデータ利用のためのスイッチＳ４で選択することができる様になっている。そして、演算制御回路２０は、スイッチＳ３が押されると、テーブル板昇降モータ１２を駆動制御してテーブル板１０を昇降させ、テーブル板１０上の眼屈折力測定装置２３を標準的な身長の大人が立った状態の顔の高さまで昇降させるようになっている。また、演算制御回路２０は、スイッチＳ４が押されると、テーブル板昇降モータ１２を駆動制御してテーブル板１０を昇降させ、テーブル板１０上の眼屈折力測定装置２３を標準的な身長の子供が立った状態の顔の高さまで昇降させるようになっている。
＜視力表呈示装置２４＞
更に、店舗２ｉ内には検眼テーブル９に隣接して視力表（視力検査用のチャート）を呈示する視力表呈示装置２４が配設されている。この視力表呈示装置２４は、フロアに載置されたボックス２５と、ボックス２５の上端から上方に突出し且つボックス２５に昇降自在に保持された支柱２６と、支柱２６の上端に取り付けられた視力表用筐体２７を有する。この支柱２６は、図７の昇降モータ（視力表昇降手段）２８により昇降駆動可能に設けられている。この昇降モータ２８にはパルスモータ又はステッピングモータ等が用いられ、昇降モータ２８は演算制御回路２９により駆動制御されるようになっている。
【００１５】
視力表用筐体２７には、正面２７ａの図示しない窓から視力表（視力検査用のチャート）を呈示可能とする図７の視力表切換呈示装置（チャート表示手段）２７ｂが内蔵されていると共に、正面２７ａに取り付けた受光センサ３０が設けられている。この受光センサ３０からの出力は演算制御回路２９に入力されるようになっている。そして、演算制御回路２９は、受光センサ３０にリモコン３１からの高さ調整のための赤外光による高さ調整信号が入力されると、受光センサ３０からの検出信号に基づいて昇降モータ２８を駆動制御して支柱２６を上下動させ、視力表用筐体２７の上下方向の中央がリモコン３１の赤外光が出射している高さになるように、視力表用筐体２７を昇降駆動する様になっている。しかも、視力表用筐体２７は、正面２７ａは通路１側に向けられていて、通路１側から利用可能になっている。この様な視力表呈示装置２４としては、例えば特開平８−２１５１４６号公報（特願平７−２４０２７号）に開示されたような周知のものが採用できる。
＜パソコン＞
更に、検眼テーブル９上の中央にはノートタイプのパソコン３２が配設されている。このパソコン３２は図７に示したように演算制御回路３３を有し、演算制御回路３３にはレンズメータ２２及び眼屈折力検査装置２３からの検査結果が入力される様になっている。また、演算制御回路３３にはキーボード３４やマウス３５からの操作信号が入力される様になっている。３６は演算制御回路３３に接続された液晶表示装置（表示手段）、３７は演算制御回路３３に接続されたメモリである。
【００１６】
この演算制御回路３３には演算制御回路２０，２９が接続されていて、演算制御回路２０，２９，３３は互いにデータの授受を行うことができる様になっている。しかも、上述した様に、リモコン３１の操作により、視力表呈示装置２４の視力表用筐体２７の上下方向の中央がリモコン３１の赤外光の出射している高さまで昇降駆動されると、この高さ信号が演算制御回路２９を介して演算制御回路３３に入力される。そして、演算制御回路３３は、演算制御回路２９からの高さ信号が入力されると、この高さ信号に基づいて眼屈折力検査装置２３の検眼窓（図示せず）の高さがリモコン３１の赤外光の出射している高さとなるように、演算制御回路２０によりテーブル板昇降モータ１２を作動制御させる様になっている。
[作用]
次に、この様な構成の眼鏡販売支援用検眼システムの作用を説明する。
【００１７】
デパート等に買い物に来た不特定多数の人の内、例えば通路１を歩いている人が、眼鏡店である店舗２ｉの前を通過しようとしたときに、店舗２ｉの出入口３に配置された陳列棚７又は８の眼鏡フレームに興味を示して、陳列棚７又は８の眼鏡フレームの幾つかを装用することもある。
【００１８】
この様な人が出入口３の検眼テーブル９の前にきたときに、この検眼テーブル９のところに「あなたの視力を測定してみませんか」、「検眼は無料です。」、「店内に入らずに、ここで２，３分で検眼できます。」等のメッセージが目に入った場合、検眼への興味がそそられることが考えられる。
【００１９】
また、検眼に際して被検者が座る椅子等が用意されている場合、被検者は時間がかかるのではないかとの危惧を抱いたりし、検眼を避ける確率が高くなる虞がある。しかし、本実施例のように被検者が立ったままで検眼できる検眼テーブル９が通路１に面して配置されている場合、被検者は簡易かつ迅速に検眼ができるものと判断できる。もし気分的にいやになれば、被検者には検眼テーブル９の位置から通路１に戻れるという安心感も生じる。
【００２０】
これらの結果、本実施例のように被検者が立ったままで検眼できる検眼テーブル９が通路１に面して配置されている場合には、検眼をしてみようと考える人の確率が増大するものと考えられる。
（１）眼屈折力測定装置２３の手動操作による高さ合わせ
そして、検眼に興味を示した人が通路１を通行中に検眼テーブル９の前で立ち止まったときに、立ち止まった人（以下、被検者という）が大人の場合には店員が検眼テーブル９の操作パネル１５に設けられたメモリ選択スイッチＳ３を押し、立ち止まった人が大人の場合には店員が検眼テーブル９の操作パネル１５に設けられたメモリ選択スイッチＳ４を押す。
【００２１】
これに伴い、演算制御回路２０は、スイッチＳ３が押されると、テーブル板昇降モータ１２を駆動制御してテーブル板１０を昇降させ、テーブル板１０上の眼屈折力測定装置２３を標準的な身長の大人が立った状態の顔の高さまで昇降させる。また、演算制御回路２０は、スイッチＳ４が押されると、テーブル板昇降モータ１２を駆動制御してテーブル板１０を昇降させ、テーブル板１０上の眼屈折力測定装置２３を標準的な身長の子供が立った状態の顔の高さまで昇降させる。
【００２２】
次に、店員は、操作パネル１５に設けられた正転スイッチＳ１または逆転スイッチＳ２を操作して、テーブル板昇降モータ１２を正転または逆転駆動制御してテーブル板１０を昇降させ、テーブル板１０上の眼屈折力測定装置２３の高さを検眼テーブル９の前に立ち止まった被検者Ｋの顔の高さに調整する。
（２）装置２３，２４の高さの自動調整
また、検眼に興味を示した人が通路１を通行中に検眼テーブル９の前で立ち止まったときに、店員はリモコン３１を立ち止まった被検者Ｋの顔の横に配置して、リモコン３１の赤外光が出射する部分を被検者Ｋの眼の高さに合わせる。そして、店員（検者）はリモコン３１の赤外光の出射する部分を視力表呈示装置２４受光センサ３０に向けて、リモコン３１に設けられた高さ調整のためのボタン（図示せず）を押し、リモコン３１からの高さ調整のための赤外光による高さ調整信号が受光センサ３０に向けて出射させる。
【００２３】
そして、演算制御回路２９は、受光センサ３０にリモコン３１からの高さ調整のための赤外光による高さ調整信号が入力されると、受光センサ３０からの検出信号に基づいて昇降モータ２８を駆動制御して支柱２６を上下動させ、視力表用筐体２７の上下方向の中央がリモコン３１の赤外光が出射している高さになるように、視力表用筐体２７を昇降駆動する。
【００２４】
一方、このリモコン３１の操作により、視力表呈示装置２４の視力表用筐体２７の上下方向の中央がリモコン３１の赤外光の出射している高さまで昇降駆動されると、この高さ信号が演算制御回路２９を介して演算制御回路３３に入力される。そして、演算制御回路３３は、演算制御回路２９からの高さ信号が入力されると、この高さ信号に基づいて眼屈折力検査装置２３の検眼窓（図示せず）の高さがリモコン３１の赤外光の出射している高さとなるように、演算制御回路２０を動作制御して、演算制御回路２０によりテーブル板昇降モータ１２を作動制御させる。
【００２５】
この様にして、リモコン３１の操作により、視力表呈示装置２４および眼屈折力検査装置２３の高さが被検者Ｋの顔の高さに同時に合わせられることになる。
【００２６】
なお、上述した手動操作により検眼テーブル９のテーブル板１０を昇降させて、眼屈折力測定装置２３の高さを被検者Ｋの顔の高さに合わせた場合、このテーブル板１０の昇降量を演算制御回路２０から演算制御回路３３に入力させて、演算制御回路３３により演算制御回路２９を動作制御させ、演算制御回路２９により昇降モータ２８をテーブル板１０の昇降量に基づいて駆動制御させることにより、視力表呈示装置２４を被検者Ｋの顔の高さに自動的に合わせさせるようにしてもよい。
（３）検眼
ところで、上述の被検者Ｋが眼鏡を装用していない場合には、眼屈折力測定装置２３で被検者Ｋの眼屈折力（球面度数Ｓ，円柱度数Ｃ、軸角度Ａ）を測定する。この測定によるＳ，Ｃ，Ａは演算制御回路３３に入力されると、演算制御回路３３は入力されたＳ，Ｃ，Ａ等から被検者Ｋの視力に対応した視力表のチャート（ひらがな，数字，ランドルト環等）を視力表呈示装置２４で提示するように、演算制御回路２９を動作制御する。これにより、演算制御回路２９は、視力表切換呈示装置（チャート表示手段）２７ｂを作動制御して、被検者Ｋの視力に対応した視力表のチャートを選択して被検者Ｋに呈示する。
【００２７】
そして、最初に呈示した被検者Ｋの視力に合ったチャート，その視力より上（高い）または下（低い）のチャートを被検者Ｋに順次呈示して、被検者Ｋの現在の裸眼による視力を認識させる。この呈示は、演算制御回路２９により自動的に行わせるが、店員が手動で行うこともできる。
【００２８】
また、上述の被検者Ｋが眼鏡を装用している場合には、被検者Ｋの眼鏡（メガネ）の眼鏡の左右の眼鏡レンズの屈折力を測定し、測定結果を演算制御回路３３に入力させる。一方、上述した眼屈折力測定装置２３で被検者Ｋの眼屈折力（球面度数Ｓ，円柱度数Ｃ、軸角度Ａ）を測定し、この測定によるＳ，Ｃ，Ａを演算制御回路３３に入力する。
【００２９】
これにより演算制御回路３３は、被検者Ｋが現在の眼鏡を装用した場合の矯正視力値を求め、この求めた矯正視力値に基づいて、被検者Ｋの視力に対応した視力表のチャート（ひらがな，数字，ランドルト環等）を視力表呈示装置２４で提示するように、演算制御回路２９を動作制御する。これにより、演算制御回路２９は、視力表切換呈示装置（チャート表示手段）２７ｂを作動制御して、被検者Ｋの矯正視力に対応した視力表のチャートを選択して被検者Ｋに呈示することになる。この際、被検者Ｋには眼鏡を装用させて視力表呈示装置２４のチャートを視認させる。
【００３０】
そして、最初に呈示した被検者Ｋの矯正視力に合ったチャート，その視力より上（高い）または下（低い）のチャートを被検者Ｋに呈示して、被検者Ｋの現在の矯正視力を認識させる。この呈示は、演算制御回路２９により自動的に行わせるが、店員が手動で行うこともできる。
【００３１】
このようにして被検者Ｋの裸眼による視力や矯正視力の低下がない場合には、被検者Ｋはそのまま通路１に容易に戻って他の場所に迅速に移動できる。また、被検者Ｋの裸眼による視力が例えば１．０より低い場合や視力の低下が更に進んでいる場合、店員は被検者Ｋに眼鏡を作ることを進める。また、被検者Ｋの眼鏡による矯正視力が最初に矯正したときよりも低くなっている場合や矯正視力の低下が更に進んでいる場合、店員は被検者Ｋに眼鏡を作り直すように進める。
【００３２】
そして、裸眼による視力や矯正視力の低下が大きい場合には、店舗２ｉの奥側に設けた視力検査室５で精密検査を進める。
【００３３】
この様にして検眼テーブル９は、簡易な検眼を行うのに使用できると共に、被検者によっては眼鏡を新たに作ったり、精密検査をするための受付としてして使用できる。しかも、この様な簡易な検眼を行うことにより、裸眼による視力や矯正視力に異常がない人が精密検査を行うのを回避でき、視力の精密検査の必要な人のためのスクリーニング（篩い分け）を行うことができる。
[変形例]
上述した実施例では、視力表呈示装置２４の視力表用筐体２７を昇降させて、被検者Ｋへの視力表用筐体２７によるチャートの呈示高さを調整するようにしたが、必ずしもこれに限定されるものではない。
【００３４】
例えば、図４（ｂ）に示したような視力表呈示装置４０において、検眼ボックス４０ａ内の視力表切換呈示装置（チャート表示手段）４１で視力表のチャートを選択して、この選択したチャートからの視標光束をハーフミラー４２ａに向けて投影する。そして、この投影されたチャートの視標光束を、ハーフミラー４２ａ，４２ｂを透過させた後、凹面鏡４２ｃで反射させ、次にハーフミラー４２ｂで検眼窓４０ｂから外方に出射させる。
【００３５】
この反射ミラー４２ｂは、矢印４３で示したように点Ｐを中心に上下回動可能に設けられていると共に、パルスモータ等のミラー角度調整手段（上下回動手段，視標投影高さ調整手段）４４で上下に回動駆動可能に設けられ、チャートの視標光束の被検者Ｋへの呈示高さ（呈示角度）が調整されるようになっている。
【００３６】
また、リモコン３１による高さ調整のための赤外光を受光する受光センサ４５を検眼ボックス４０ａ内に設ける。しかも、リモコン３１を検眼窓４０ｂに向けて、リモコン３１からの赤外光を検眼窓４０ｂに投影すると、この赤外光はハーフミラー４２ｂで凹面鏡４２ｃに向けて反射する。この反射する赤外光は、凹面鏡４２ｃで反射した後、ハーフミラー４２ｂを透過してハーフミラー４２ａで反射させられる。このハーフミラー４２ａで反射した赤外光は受光センサ４５に入射させられる。この受光センサ４５には、エリアＣＣＤやＰＳＤ等を用いることができる。
【００３７】
そして、この受光センサ４５による信号に基づいて演算制御回路４６によりミラー角度調整手段４４を作動制御させて、ハーフミラー４２ｂによるチャート（視力表）の呈示方向（呈示高さ）がリモコン３１の赤外光の出射方向となるようにできる。図４（ｂ）中、Ｅは身長の異なる被検者の眼を示したものである。
【００３８】
この場合にも、演算制御回路３３は、視力表呈示装置４０のチャートの被検者Ｋへの呈示角度（、呈示高さ）の調整に連携して、テーブル板１０の高さを上述の様に調整して、眼屈折力測定装置２３の高さを被検者Ｋの顔の高さに合わせるようにすることもできる。また逆に、演算制御回路３３は、テーブル板１０の高さを上述の様に調整して、眼屈折力測定装置２３の高さを被検者Ｋの顔の高さに合わせたときに、ハーフミラー４２ｂをパルスモータ等のミラー角度調整手段４４により上下回動させて、ハーフミラー４２ｂによるチャートの被検者Ｋへの呈示高さ（呈示角度）を自動調整させるようにしてもよい。
【００３９】
【発明の効果】
以上説明したように、請求項１の発明は、通路の途中側部に配置した眼鏡店の出入口が前記通路に面していると共に、テーブル板の高さを調節可能に設けた検眼テーブルが前記出入口に配設され、少なくともレンズメータ，眼屈折力測定装置が前記検眼テーブル上に配設された眼鏡販売支援用検眼システムであって、前記通路を通行する人が立ち止まって立った状態で前記眼屈折力測定装置を利用可能にするために、前記通路から前記検眼テーブルに対して向かって立ち止まった人の顔の高さに前記眼屈折力測定装置の高さが対応する位置まで前記テーブル板を昇降駆動するテーブル板昇降手段が設けられている構成としたので、検眼を行うことが従来に比べて気にならない検眼システムを提供できる。この結果、視力値や矯正視力値が低下している人の為にもなり、眼鏡店の売上増加にもなる検眼システムを提供できる。
【００４０】
また、請求項２の発明の眼鏡販売支援用検眼システムは、請求項１に記載の眼鏡販売支援用検眼システムにおいて、視力表の呈示高さを視力表呈示高さ調整手段で調整可能に設けた視力表呈示装置が前記検眼テーブルの通路側から利用可能に前記検眼テーブルの近傍に配置されていると共に、前記視力表呈示装置からの視力表の呈示高さが前記通路から前記検眼テーブルに対して向かって立ち止まった人の顔の高さに対応する位置まで視力表呈示高さ調整手段で調整されたとき、前記眼屈折力測定装置が前記通路から前記検眼テーブルに対して向かって立ち止まった人の顔の高さに対応する位置までテーブル板昇降手段により昇降駆動制御する制御回路が設けられている構成としたので、眼屈折力測定装置の高さ調整を視力表呈示装置の高さ調整に連携でき、検眼にかかる時間の短縮を図ることができる。
【図面の簡単な説明】
【図１】この発明にかかる眼鏡販売支援用検眼システムの配置図である。
【図２】図１の腰部拡大説明図である。
【図３】図２の検眼テーブルの拡大斜視図である。
【図４】（ａ）は図２の検眼テーブルを側方からみた説明図、（ｂ）は視力表呈示装置の他の例を示す説明図である。
【図５】図１の検眼テーブルの平面図である。
【図６】図５を矢印Ａ方向からみた側面図である。
【図７】この発明にかかる眼鏡販売支援用検眼システムの制御回路図である。
【符号の説明】
１・・・通路
２ｉ・・・店舗（眼鏡店）
３・・・出入口
９・・・検眼テーブル
１０・・・テーブル板
１２・・・テーブル昇降モータ（テーブル板昇降手段，視標呈示高さ調整手段）
２０・・・演算制御回路
２２・・・レンズメータ
２３・・・眼屈折力測定装置
２９，３３・・・演算制御回路
４２ｂ・・・ハーフミラー
４４・・・ミラー角度調整手段（視標呈示高さ調整手段，上下回動手段）
４６・・・演算制御回路
【図１】
0004632335.tif 000002
【図２】
0004632335.tif 000003
【図３】
0004632335.tif 000004
【図４】
0004632335.tif 000005
【図５】
0004632335.tif 000006
【図６】
0004632335.tif 000007
【図７】
0004632335.tif 000008